(57)【要約】【課題】装着性に優れた使い勝手のよい画像表示装置を提供する。【解決手段】画像表示装置１は、帽体に装着する環状の本体部２と、本体部２の一部に形成されたつば状の拡張部４と、拡張部４に配置され、帽体を装着したユーザの眼に画像を結像させる画像表示部３とを備える。画像表示装置１は、帽体のつばを拡張部４に収納している。また、本体部２を構成する第１のマウント部５と第２のマウント部６は、帽体の一部に沿って帽体を包接する。第１のマウント部５と第２のマウント部６はヒンジ２１で接続されている。第２のマウント部６は帽体１００に着脱可能な機構を有する。【選択図】図２
2018137626.tif 000002
【特許請求の範囲】
【請求項１】
帽体に装着する環状の本体部と、
前記本体部の一部に形成されたつば状の拡張部と、
前記拡張部に配置され、前記帽体を装着したユーザの眼に画像を結像させる画像表示部とを備えた画像表示装置。
【請求項２】
前記拡張部は、前記帽体のつばの少なくとも一部と接する請求項１記載の画像表示装置。
【請求項３】
前記拡張部の上面は、前記帽体のつばの底面と接する請求項２記載の画像表示装置。
【請求項４】
前記拡張部は、内部に前記帽体のつばを収納する中空スペースを有し、前記中空スペースの内面と前記帽体のつばが内接する請求項２記載の画像表示装置。
【請求項５】
前記本体部は、前記帽体と脱着可能なマウント部を備えたことを特徴とする請求項１〜４に記載の画像表示装置。
【請求項６】
前記拡張部は、前記画像表示部を収納する収納スペースを有する請求項１〜４に記載の画像表示装置。
【請求項７】
前記拡張部は、前記収納スペースに前記画像表示部の配置を調整可能にする調整機構を設けた請求項１〜４に記載の画像表示装置。
【請求項８】
前記画像表示部は、画像を表示する表示部と、
前記表示部から出射された画像光を、前記帽体を装着したユーザの眼に結像させる反射部と、
前記表示部と前記反射部を所定の配置で保持する筐体部と、
を備える請求項１記載の画像表示装置。
【請求項９】
前記筐体部は前記表示部と前記反射部とを回転させる回転機構を備える請求項８記載の画像表示装置。
【請求項１０】
前記表示部と前記反射部は前記回転機構を用い、折りたたまれた状態で、前記収納スペースへ収納可能となる請求項９記載の画像表示装置。
【請求項１１】
前記反射部は前記筐体部から脱着交換可能である請求項８記載の画像表示装置。
【請求項１２】
前記拡張部は、カメラ、マイク、スピーカ、前記表示部が出力する画像を生成する画像生成部、電源部のうち一つ以上のデバイスを、前記拡張部に取り付け可能にする取付部を備えることを特徴とする請求項１記載の画像表示装置。
【請求項１３】
前記本体部は、カメラ、マイク、スピーカ、前記表示部が出力する画像を生成する画像生成部、電源部のうち一つ以上のデバイスを、前記本体部に取り付け可能にする取付部を備えることを特徴とする請求項１記載の画像表示装置。
【請求項１４】
前記拡張部は、前記取付部に取付けられたデバイスに接続されているケーブルを収納可能な収納部を備えたことを特徴とする請求項１２記載の画像表示装置。
【請求項１５】
前記本体部は、前記取付部に取付けられたデバイスに接続されているケーブルを収納可能な収納部を備えたことを特徴とする請求項１３記載の画像表示装置。
【請求項１６】
前記本体部の一部は、全固体リチウム電池で構成され、前記画像表示装置内のデバイスの電源部として機能する請求項１記載の画像表示装置。
【請求項１７】
前記拡張部の一部は、全固体リチウム電池で構成され、前記画像表示装置内のデバイスの電源部として機能する請求項１記載の画像表示装置。
【発明の詳細な説明】
【技術分野】
【０００１】
本開示は、ヘルメットや帽子などの帽体を被ったユーザの頭部に装着された状態で使用される画像表示装置に関する。
【背景技術】
【０００２】
工場やプラントで使われる装置や機器の設置や保守点検を、作業者は点検手順書、以前の点検記録、各種マニュアルを参照しながら行う。近年、作業者の作業中の視線移動の頻度を低減させ、作業者の両手を塞がずに手順書やマニアルを作業者の眼前に画像データとして表示できる画像表示装置が開発されている。
【０００３】
特許文献１は、帽子のひさしの下方、装着者の前額部の前方で瞳位置よりも上方の位置で、表示面を前方に向けて表示素子を吊り下げ、表示素子よりも前方で反射面を装着者の瞳の方向に向けてひさし下面に凹面鏡を吊り下げることにより、表示素子の拡大された虚像を装着者が観察できるようにした表示素子付き帽子を開示する。
【０００４】
また、特許文献２は、画像表示ユニットを使用者の眼球の近傍に配置させるために、使用者の頭部に着装される帽体に一端が固定される支持部を備え、複数の回転可能アームと連結させ、画像表示ユニット不使用時に使用者の視界を妨げないようにした頭部搭載型画像表示装置を開示する。
【０００５】
また、特許文献３は、その先端にユーザの眼へ画像の像光を投射するディスプレイ部を、その基端に帽子のつばに対する脱着自在な固定を可能とした固定部を備えているアームを備えたヘッドマウントディスプレイを開示する。
【先行技術文献】
【特許文献】
【０００６】
【特許文献１】特開２００３−２７９８８３号公報
【特許文献２】特開２００７−６４９９７号公報
【特許文献３】特開２０１０−１２４３３９号公報
【発明の概要】
【発明が解決しようとする課題】
【０００７】
本開示は、ヘルメットや帽子などの帽体を被ったユーザの眼前位置に画像表示部を設置することが可能、かつ帽体に脱着可能な画像表示装置を提供することを目的とする。
【課題を解決するための手段】
【０００８】
本開示の画像表示装置は、帽体に装着する環状の本体部と、本体部の一部に形成されたつば状の拡張部と、拡張部に配置され、前記帽体を装着したユーザの眼に画像を結像させる画像表示部とを備える。
【発明の効果】
【０００９】
本開示における画像表示装置は、帽体を被ったユーザの眼前位置へ、画像表示部を設置することができる。また、帽体と脱着可能なため、装着性に優れ使い勝手を良くすることができる。
【図面の簡単な説明】
【００１０】
【図１】実施の形態１に係る帽体の一例を説明した図
【図２】実施の形態１に係る画像表示装置の構成の概念を示す側面図
【図３】実施の形態１に係る画像表示装置の構成の概念を示す正面図
【図４】実施の形態１に係る画像表示装置の構成の概念を示す背面図
【図５】実施の形態１に係る画像表示装置の構成の概念を説明する図
【図６】実施の形態１に係る画像表示部の構成の概念を説明する図
【図７】実施の形態１に係る画像表示部の構成の概念を説明する図
【図８】実施の形態１に係る筐体部の構成の概念を説明する図
【図９】実施の形態１に係る画像表示部の位置調整機構を説明する図
【図１０】実施の形態１に係る画像表示部の位置調整機構を説明する図
【図１１】実施の形態１に係る画像表示装置の装着開始を説明する図
【図１２】実施の形態１に係る画像表示装置の装着途中を説明する図
【図１３】実施の形態１に係る画像表示装置の装着完了を説明する図
【図１４】実施の形態１に係る画像表示装置を装着した帽体の側面図
【図１５】実施の形態１に係る画像表示装置を装着した帽体の正面図
【図１６】実施の形態１に係る画像表示装置を装着した帽体の背面図
【図１７】実施の形態１に係る画像表示部の位置調整を説明する模式図
【図１８】実施の形態１に係る画像表示部の位置調整を説明する模式図
【図１９】実施の形態１に係る画像表示部の位置調整を説明する模式図
【図２０】実施の形態１に係る画像表示部のチルト調整を説明する模式図
【図２１】実施の形態１に係る画像表示部のチルト調整を説明する模式図
【図２２】実施の形態１に係る画像表示部のチルト調整を説明する模式図
【図２３】実施の形態１に係る画像表示部のチルト調整を説明する模式図
【図２４】実施の形態２に係る画像表示装置の構成の概念を説明する図
【図２５】実施の形態２に係る画像表示装置の構成の概念を説明する図
【図２６】他のデバイスを取付けた画像表示装置の一例を説明する図
【図２７】実施の形態２に係る画像表示装置の他の構成を説明する図
【図２８】本体部にケーブルを収納可能な画像表示装置の一例を説明する図
【図２９】本体部にケーブルを収納可能な画像表示装置の一例を説明する図
【図３０】本体部にケーブルを収納可能な画像表示装置の一例を説明する図
【図３１】本体部にケーブルを収納可能な画像表示装置の一例を説明する図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
本開示において、前方はユーザの眼より遠ざかる方向、後方はユーザの眼に近づく方向とし、前後方向をＺ軸とする。
【００１４】
（実施の形態１）
以下、図１〜２４を用いて、実施の形態１を説明する。
【００１５】
［１．構成］
［１−１．帽体］
図１は実施の形態１に係る帽体の一例を説明した図である。
【００１６】
帽体１００は、例えば、ヘルメットや帽子であり、帽体１００を装着した使用者の眼前上部につば１０１を有する。つば１０１は、ヘルメットではバイザーとも呼ばれる。
【００１７】
［１−２．画像表示装置］
図２は、実施の形態１に係る画像表示装置の構成の概念を示す側面図、図３は実施の形態１に係る画像表示装置の構成の概念を示す正面図、図４は、実施の形態１に係る画像表示装置の構成の概念を示す背面図である。図５は、画像表示装置の構成の概念を説明する図である。
【００１８】
図２〜４に示すように、画像表示装置１は、本体部２と、拡張部４と、画像表示部３とで構成される。本体部２、拡張部４は、例えば、ＡＢＳ樹脂等で形成される。
【００１９】
［１−２−１．拡張部］
拡張部４は、先頭に帽体１００のつば１０１を包み込むように、つば１０１を拡張した形状を有する。図４に示すように、拡張部４は、帽体１００のつば１０１を収納する中空スペース４１を設けている。中空スペース４１は、帽体１００のつば１０１を拡張部４へ差し込んだ場合、つば１０１が拡張部４にぴったりと内接する大きさに設けられている。また、拡張部４は、画像表示部３を設置する機構とスペースを有する。
【００２０】
［１−２−２．本体部］
本体部２は帽体１００に装着され、環状の構造を有する。本体部２は、第１のマウント部５と第２のマウント部６とで構成される。第１のマウント部５と第２のマウント部６は、ヒンジ２１とヒンジ２２により連結されている。
【００２１】
第１のマウント部５は、帽体１００の前半分に沿って這わせるように包接される。
【００２２】
第２のマウント部６は、帽体１００の後半分に沿って這わせるように包接され、帽体１００に画像表示装置１を脱着可能にさせるマウントである。図５に示すように、第２のマウント部６は、マウント６１、マウント６２および留め具６３とで構成されている。図５に示すように、ヒンジ２１とヒンジ２２は、マウント６１とマウント６２を帽体１００に対して外側に開閉させる。留め具６３は、外側に開閉させたマウント６１とマウント６２とを帽体１００に沿って這わせるように包接させ後、マウント６１とマウント６２を嵌合する留め具である。
【００２３】
［１−２−３．画像表示部］
図６は、実施の形態１に係る画像表示部の構成の概念を説明する図である。図７は、実施の形態１に係る筐体部の構成の概念を説明する図である。図８は、実施の形態１に係る画像表示部の構成の概念を説明する図である。図９および図１０は、実施の形態１に係る画像表示部の位置調整機構を説明する図である。
【００２４】
図６に示すように、画像表示部３は、表示部３１、反射部３２、筐体部３３、ヒンジ３４、ヒンジ３５とで構成される。
【００２５】
表示部３１は、画像を表示する表示素子と、図示されていない表示素子を駆動する駆動電子基板からなる。例えば、表示素子はマイクロディスプレイと呼ばれる小型で高解像度の表示デバイスである。
【００２６】
反射部３２は、表示部３１から出射された画像光を反射させ、ユーザの眼へ結像させる。反射部３２は、例えば凹面鏡のようなレンズである。
【００２７】
筐体部３３は、表示部３１から出射された画像光が反射部３２で最適に反射するように表示部３１と反射部３２を配置係合して一体化させる。表示部３１および反射部３２は筐体部３３に一体化されている。
【００２８】
なお、図７に示すように、反射部３２は脱着可能な機構を有してもよい。例えば、ヒンジ軸３７とヒンジ３５にマグネットを内蔵させたマグネット式脱着構造にすることで、反射部３２を筐体部３３から取り外すことができる。
【００２９】
図８に示すように、筐体部３３は、ヒンジ３４内で回転するヒンジ軸３６を２つ有する。このヒンジ軸３６により、筐体部３３は、ヒンジ３４を水平軸（Ｘ軸）とし、Ｘ軸周りに回転（チルト）することが可能となる。すなわち、筐体部３３に一体化された表示部３１と反射部３２は、ヒンジ３４を水平軸として、Ｘ軸周りにチルトすることが可能となる。
【００３０】
ヒンジ３４は、筐体部３３によって一体化した表示部３１と反射部３２を、ヒンジ３４を水平軸として、Ｘ軸周りに回転させるヒンジである。図９に示すように、ヒンジ３４の上部には、位置調整レール４３が貫通するためのレール穴３８が設けられている。
【００３１】
また、図９、図１０に示すように、拡張部４には、画像表示部３を設置および収納する収納スペース４２が設けられている。２本の位置調整レール４３は収納スペース４２に所定の間隔を開けて固定されている。２つのヒンジ３４は各々位置調整レール４３をレール穴３８に貫通させる。これにより、図９に示すように、画像表示部３は、収納スペース４２内で、２本の位置調整レール４３上を両矢印（前後）の方向に移動可能となる。従って、ユーザは、眼の位置に対して、画像表示部をＺ軸（前後）方向に調整できる。
【００３２】
ヒンジ３５は、反射部３２を水平軸としてＸ軸周りに回転させるヒンジである。図７に示すように、筐体部３３は、ヒンジ３５内で回転するヒンジ軸３７を有する。ヒンジ軸３７がヒンジ３５内で回転することにより、ヒンジ３５と一体化されている反射部３２は反射部３２を水平軸として、Ｘ軸周りに回転（チルト）することが可能となる。
【００３３】
［１−３．動作］
以下、画像表示装置１の装着と画像表示部３の位置調整について説明する。
【００３４】
［１−３−１．装着］
図１１は実施の形態１に係る画像表示装置の装着開始を説明する図、図１２は実施の形態１に係る画像表示装置の装着途中を説明する図、図１３は、実施の形態１に係る画像表示装置の装着完了を説明する図である。
【００３５】
まず、図１１に示すように、帽体１００のつば１０１を拡張部４に差し込む。次に、図１２に示すように、帽体１００の一部に沿って這わせるように第２のマウント部６のマウント６１とマウント６２（図示せず）を包接させる。最後に、図１３に示すように、マウント６１とマウント６２（図示せず）を留め具６３で嵌合する。このようにして、帽体１００に画像表示装置１を帽体１００の形状に合わせて、装着することができる。
【００３６】
図１４は、実施の形態１に係る画像表示装置を装着した帽体の側面図、図１５は、実施の形態１に係る画像表示装置を装着した帽体の正面図、図１６は実施の形態１に係る画像表示装置を装着した帽体の背面図である。
【００３７】
図１４に示すように、画像表示装置１は、帽体１００のつば１０１を拡張部４に収納している。また、図１４〜図１６に示すように、第１のマウント部５と第２のマウント部６は、帽体１００の一部に沿って帽体１００を包接している。
【００３８】
なお、図１４に示すように、第２のマウント部６の後方に、帽体１００の後方の縁部分を挟み込む挟み込み部６４を設けてもよい。挟み込み部６４を設けることで、帽体１００の前方を拡張部４、後方を挟み込み部６４で保持するので、画像表示装置１１を帽体１００に安定して取付けることができる。
【００３９】
また、図１５に示すように、第１のマウント部５の帽体１００に沿っている部分において、帽体１００の前方に沿っている網掛けの安定部４４を他の部分よりも面積を広くしてもよい。このようにすることにより、画像表示装置１１の帽体１００への取付けを面で安定させることができる。
【００４０】
取り外し手順は、装着手順と逆の手順で行う。すなわち、嵌合している留め具６３を外し、マウント６１とマウント６２を帽体１００の外側に開け、帽体１００のつば１０１を拡張部４から引き出す。このようにして、帽体１００から画像表示装置１を取り外すことができる。
【００４１】
［１−３−２．画像表示部の位置調整］
図１７、図１８および図１９は、画像表示部３の位置調整を説明する模式図である。図２０〜２２は、画像表示部３のチルト調整を説明する模式図である。
【００４２】
ユーザ８は、画像表示装置１を帽体１００に装着すると、画像表示部３の全体の位置調整を行う。ユーザ８は位置調整レール４３に沿って、画像表示部３を移動させ、位置調整を行う。
【００４３】
図１７は、画像表示部３が前方、すなわち、ユーザ８の眼８１の前方にあり、かつ、眼８１より最も離れた位置に位置している場合を示す。図１８は、画像表示部３が位置調整レール４３の中間の位置、すなわち、ユーザ８の眼８１の前方、かつ、調整可能範囲の中間位置に位置している場合を示す。図１９は、画像表示部３が後方、すなわち、ユーザ８の眼８１の前方にあり、かつ、眼８１に最も近くの位置に位置している場合を示す。ユーザ８は、図１７の前方の位置から、図１９の後方の位置の範囲内で画像表示部３を移動させ、画像表示部３の位置を所望の位置に調整する。
【００４４】
次に、ユーザ８は、画像表示部３を回転させ、画像表示部３の角度調整を行う。
【００４５】
図２０は、チルト角が小さい場合を示す。図２１は、チルト角が中ぐらいの場合を示す。図２２は、チルト角が大きい場合を示す。ユーザ８が画像表示部３を持ち、図２０〜２２に示すように所望のチルト角に調整することができる。
【００４６】
また、図２３に示すように、ユーザ８は、画像表示部３を使用する必要がない場合は、画像表示部３の反射部３２を折りたたむことで、眼８１の前方の視界を遮らない位置に画像表示部３を移動させることができる。図２３は、ヒンジ３４とヒンジ軸３６のトルクヒンジ機構によって、画像表示部３を、拡張部４の収納スペース４２に収納された状態を示す。
【００４７】
［１−３．効果等］
以上のように、本実施の形態において、画像表示装置１は、帽体１００に装着する環状の本体部２と、本体部２の一部に形成されたつば状の拡張部４と、拡張部４に配置され、帽体１００を装着したユーザの眼に画像を結像させる画像表示部３とを備える。
【００４８】
これにより、帽体１００を装着したユーザは容易に眼前で画像を観察できる。
【００４９】
また、拡張部４は帽体１００のつば１０１の少なくとも一部と接し、本体部２は帽体１００と脱着可能な第２のマウント部６を備える。これにより、画像表示装置１を帽体１００に容易に脱着できる。
【００５０】
従って、ヘルメットや帽子などの帽体１００に、画像表示装置１を取り付けるため、帽体１００に特殊な加工を施さなくとも、確実にユーザの眼前へ画像を表示する画像表示部３を設定できる。
【００５１】
また、画像表示装置１は帽体１００と脱着可能であることから、古くなった帽体１００のみを取り換えたい場合、あるいは、画像表示装置１のみを交換したい場合に、使い勝手が良い。
【００５２】
また、画像表示部３を拡張部４より内側に配置しているため、例えば落下物などから受ける衝撃から回避することができ、壊れにくい。
【００５３】
また、画像表示部３は、表示部３１と反射部３２とそれらを係合する筐体部３３の最少の構成からなるため、小型化、軽量化にすることができる。
【００５４】
また、拡張部４は画像表示部３を収納する収納スペース４２に画像表示部３の配置を調整可能にする調整機構を設ける。さらに、筐体部３３は表示部３１と反射部３２を回転させる回転機構を備える。これにより、ユーザは簡易な操作で画像表示部３の位置を調整することができる。従って、ユーザは最適な眼前位置で画像を観察できる。
【００５５】
また、拡張部４に画像表示部３の収納スペース４２を設けたことで、画像表示部３を使用しない場合に、画像表示部３を拡張部４内に収納できる。これにより、画像表示部３を使用しない場合に、ユーザの視界を妨げることがない。また、画像表示部３を使用しない場合に画像表示部３もしくは画像表示装置を取り外す必要がない。
【００５６】
また、反射部３２は筐体部３３から脱着可能な構成を有する。これにより、反射部３２のみだけが交換可能となる。従って、新しい反射部３２との交換や、外界の明るさに応じ、透過率あるいは遮光率を変えた反射部３２と取り換える際に、使い勝手が良い。
【００５７】
（実施の形態２）
実施の形態２では、他のデバイスを取付け可能な画像表示装置について説明する。本開示における、他のデバイスとは、例えば、帽体１００を被ったユーザ８の視線方向の外界またはユーザ８を撮影するカメラ、ユーザ８の音声を拾うマイク、ユーザ８へ音声を流すスピーカ、表示部３１が表示する画像を生成する処理部、各デバイスへ電源を供給する電源部である。本開示の画像表示装置は、１つ以上の他のデバイスを取り付け可能である。
【００５８】
［２−１．デバイスの取付］
図２４、図２５は、実施の形態２に係る画像表示装置の構成の概念を説明する図である。図２６は、他のデバイスが取り付けられた画像表示装置の一例を説明する図である。図２７は、実施の形態２に係る画像表示装置の他の構成を説明する図である。
【００５９】
図２４は、画像表示装置１１の拡張部４上部に付属デバイスを取り付け可能な取付部９が３つ設けられたことを示す。実施の形態２における取付部９は、６つのネジ穴９１を有し、２点留めか４点留めを選択できるようになっている。画像表示装置１１は、取付部９を用いて、カメラ、マイクあるいは／およびスピーカ等のデバイスを取付けることができる。
【００６０】
図２５は、３つの取付部９のうち１つの取付部９にカメラを挟むカメラマウント９２が取り付けられた場合を示す。この場合、カメラマウント９２は、４つのネジ穴９１を用い、４点留めで装着されている。また、図２６は、カメラマウント９２にカメラ９３が装着された状態を示す。
【００６１】
また、取付部９は、第１のマウント部５の側面に設けてもよい。図２７は、取付部９を第１のマウント部５の側面に２つ設けたことを示す。
【００６２】
取付部９にマイクやスピーカを取付ける場合は、カメラと同様、まずマイクやスピーカ用のマウントを取付部９に装着し、取付けたマウントにマイクやスピーカを装着する。カメラ、マイク、スピーカ等のデバイスは、どの取付部９に取り付けても良く、ユーザは使用に適した位置を選択することが出来る。
【００６３】
また、図示していないが、第２のマウント部６の留め具６３付近に取付部９を設けても良い。その場合、本体部２の前後の重量バランスを取る目的で、他の取付部９に装着したカメラ、マイク、スピーカ等のバッテリ等を取り付ける。
【００６４】
なお、取付部９は、ネジ穴９１以外に、カメラ、マイク、スピーカ等のデバイスを直接取り付けられるよう機構、例えば、コールドシュー配置できるような機構を設けても良い。また、ネジ穴９１は６つに限定するものではなく、用途に応じて必要な数だけ設ければよい。
【００６５】
［２−２．ケーブルの収納］
画像表示部３や、取付部９を用いて取りつけたカメラ、マイク、スピーカ等のデバイスがバッテリを内蔵しておらず、無線等で信号を伝送できない場合、それらデバイスへ電力供給と信号入出力を行うケーブルが必要となる。
【００６６】
図２８〜図３１は、本体部にケーブルを収納可能な画像表示装置の一例を説明する図である。
【００６７】
実施の形態２の画像表示装置１１の本体部２は、ケーブルを収納する収納スペースおよび形状を有している。
【００６８】
以下、ケーブルの収納方法を説明する。
【００６９】
まず、画像表示部３に接続されているケーブルの収納方法を説明する。
【００７０】
図２８は、本体部２の拡張部４の上面つばを外した状態を示す。図２８に示すように、まず、画像表示部３の表示部３１に接続され、表示部３１へ画像信号と電力を供給するケーブル９４を帽体１００の側面へ延ばす。次に、図２９に示すように、拡張部４から出てきたケーブル９４は本体部２に這わせるように配置する。最後に、図３０に示すように、ケーブル９４を、ユーザ８の後頭部、すなわち、第２のマウント部６の留め具６３の下方に設けられた切り欠き部６５から引き出す。
【００７１】
次に、画像表示装置１１に取付けられたカメラに接続されているケーブルの収納方法を説明する。
【００７２】
図３１に示すように、拡張部４の取付部９に装着されたカメラ９３へ電力供給し撮像信号を出力するケーブル９５は、第１のマウント部５に這わせるように配置し、例えば、第１のマウント部５に設けた切り欠き部（図示せず）を経由して、画像表示装置１１の内部に導かれ、図２９に示すケーブル９５と同様に、本体部２に這わせるように配置される。この場合、ケーブル９５は図２９のケーブル９４とは反対側に、本体部２を這わせるように配置される。最後に、図３０に示すように、ケーブル９５は、第２のマウント部６の留め具６３の下方に設けられた切り欠き部６５から引き出される。ここで、ケーブルが複数ある場合は、切り欠き部６５から纏められて引き出される。
【００７３】
［２−３．効果等］
以上のように、本実施の形態において、画像表示装置１１は、他のデバイスを取付け可能な取付部９を備える。
【００７４】
これにより、撮影や音声の入出力を可能にするデバイスを画像表示装置１１に容易に取り付けることができる。従って、装着の拡張性に優れる。
【００７５】
また、本体部２は、表示部３１、カメラ、マイク、スピーカ等のデバイスへ、電力供給と信号入出力するケーブルを収納できる収納スペースや形状を有する。
【００７６】
これにより、各デバイスに接続されたケーブルを本体部２内に収納できる。これにより、ケーブルの配置が煩雑にならず、ケーブルのはみ出しによるひっかけ事故を回避することができる。
【００７７】
（他の実施の形態）
以上のように、本出願において開示する技術の例示として、実施の形態１〜２を説明した。しかしながら、本開示における技術は、これに限定されず、変更、置き換え、付加、省略などを行った実施の形態にも適用できる。また、上記実施の形態１〜２で説明した各構成要素を組み合わせて、新たな実施の形態とすることも可能である。
【００７８】
そこで、以下、他の実施の形態を例示する。
【００７９】
本開示では、つばのある帽体に取り付ける画像表示装置を前提に説明してきた。しかしながら、つばのない帽体あるいはつばが非常に短い帽体であっても、拡張部をより帽体に密着する機構に変更すれば、つばの有無にかかわらず帽体に画像表示装置を取り付けることができる。
【００８０】
また、本体部を伸縮可能な素材で形成してもよい。これにより、ユーザ毎の頭の大きさや形状に合わることができる。また、帽体を被っていないユーザにも画像表示装置が装着可能となる。
【００８１】
また、本開示では、第２のマウント部における拡張部は、帽体のつばを包接するように形成したが、これに限定しない。例えば、拡張部は、つばの底面に貼り合わせるような板状の形状でも構わない。すなわち、拡張部は帽体のつばを下側から支持する形状を有していればよい。
【００８２】
なお、実施の形態２では、取付部に取り付けるデバイスとして、カメラ、マイク、スピーカ、表示部が出力する画像を生成する画像生成部、電源部を例に説明したが、これ以外にユーザが作業する際に必要なデバイスを取り付けてもよい。
【００８３】
また、本体部の一部は、全個体リチウム電池で構成してもよい。例えば、拡張部の一部を全固体リチウム電池で構成してもよい。全固体リチウム電池で構成された部分は、電源部として機能するとともに、構造体として作用する。
【産業上の利用可能性】
【００８４】
本開示は、ユーザの眼前に参照したい画像データを表示する画像表示装置に関するものである。具体的には、ヘッドマウントディスプレイ、ＡＲ（Ａｕｇｍｅｎｔｅｄ  Ｒｅａｌｉｔｙ）装置、ＶＲ（Ｖｉｒｔｕａｌ  Ｒｅａｌｉｔｙ）装置などに本開示は適用可能である。
【符号の説明】
【００８５】
１、１１  画像表示装置
１００  帽体
１０１  つば
２  本体部
２１、２２、３４、３５  ヒンジ
３  画像表示部
３１  表示部
３２  反射部
３３  筐体部
３６、３７  ヒンジ軸
３８  レール穴
４  拡張部
４１  中空スペース
４２  収納スペース
４３  位置調整レール
４４  安定部
５  第１のマウント部
６  第２のマウント部
６１、６２  マウント
６３  留め具
６４  挟み込み部
６５  切り欠き部
８  ユーザ
８１  眼
９  取付部
９１  ネジ穴
９２  カメラマウント
９３  カメラ
９４、９５  ケーブル
【図１】
2018137626.tif 000003
【図２】
2018137626.tif 000004
【図３】
2018137626.tif 000005
【図４】
2018137626.tif 000006
【図５】
2018137626.tif 000007
【図６】
2018137626.tif 000008
【図７】
2018137626.tif 000009
【図８】
2018137626.tif 000010
【図９】
2018137626.tif 000011
【図１０】
2018137626.tif 000012
【図１１】
2018137626.tif 000013
【図１２】
2018137626.tif 000014
【図１３】
2018137626.tif 000015
【図１４】
2018137626.tif 000016
【図１５】
2018137626.tif 000017
【図１６】
2018137626.tif 000018
【図１７】
2018137626.tif 000019
【図１８】
2018137626.tif 000020
【図１９】
2018137626.tif 000021
【図２０】
2018137626.tif 000022
【図２１】
2018137626.tif 000023
【図２２】
2018137626.tif 000024
【図２３】
2018137626.tif 000025
【図２４】
2018137626.tif 000026
【図２５】
2018137626.tif 000027
【図２６】
2018137626.tif 000028
【図２７】
2018137626.tif 000029
【図２８】
2018137626.tif 000030
【図２９】
2018137626.tif 000031
【図３０】
2018137626.tif 000032
【図３１】
2018137626.tif 000033